(57)【要約】
【課題】　　　　　　箱の組立が容易で組立形状が整い易い組立式包装箱を提供する。
【解決手段】　　　　この考案は、角形の箱の前後左右の周壁が折り曲げ起伏可能に連設され、隣接する周壁３ａ，４ａ，３ｂ，４ｂ間に中間部に設けた山線の折目６ａ，６ｂを介して各隣接壁を連結するひだ状の連結片７ａ，７ｂを折り曲げ可能に連設し、上記山線の折目６ａによって形成される連結片７ａの固定部８ａ側に、周壁４ａの周縁部に向かって広がる可動ひだ１１を形成する谷線の補助折目１２を設け、連結片７ａ，７ｂの上端に、連結片７ａ，７ｂの上端を折畳み起立状態で挟持する押え片１７を折返し形成した構造において、前記補助折目１２を前記折目６ａ側に山形に湾曲又は屈曲させて形成している。
【選択図】　　　　　図２
0003099820.tif 000002
【実用新案登録請求の範囲】
【請求項１】
　正方形又は長方形の底板（２）又は天板を備え、前後左右の周壁（３ａ），（３ｂ），（４ａ），（４ｂ）が折り曲げ起伏可能に連設され、隣接する周壁（３ａ），（４ａ），（３ｂ），（４ｂ）間に中間部に設けた山線の折目（６ａ），（６ｂ）を介して各隣接壁を連結するひだ状の連結片（７ａ），（７ｂ）を折り曲げ可能に連設し、上記連結片（７ａ），（７ｂ）を折目（６ａ），（６ｂ）の片側に隣接する周壁（３ａ），（３ｂ）内面と接着固定する固定部（８ａ），（８ｂ）と、前記折目（６ａ），（６ｂ）を介して折曲げ回動可能な可動部（９ａ），（９ｂ）とで構成し、上記山線の折目（６ａ）によって形成される連結片（７ａ）の固定部（８ａ）側に、周壁（４ａ）の周縁部に向かって広がる可動ひだ（１１）を形成する谷線の補助折目（１２）を設け、連結片（７ａ），（７ｂ）の固定部（８ａ），（８ｂ）側の周壁（３ａ），（３ｂ）の上端に、連結片（７ａ），（７ｂ）の上端を折畳み起立状態で挟持する押え片（１７）を折返し形成した構造において、前記補助折目（１２）を前記折目（６ａ）側に山形に湾曲又は屈曲させて形成した折畳み式包装箱の周壁保持構造。
【請求項２】
　連結片（７ａ），（７ｂ）の上端が折畳み起立して挟持された状態で、山線の折目６ａ），（６ｂ）の上端が押え片（１７）の下端内に収納挟持されるように、連結片の高さと押え片（１７）の上下幅を設定した請求項１の折畳み式包装箱の周壁保持構造。
【請求項３】
　互に隣接する周壁（３ａ），（４ａ），（３ｂ）,（４ｂ）の上端において、内側に折り曲げ形成される折返し片（２２）の端部と、上記押え片（１７）の両端部との間に、折返し片（２２）を内側に折返した状態で係止固定する係止部（２１），（２３）を設けた請求項１又は２の折畳み式包装箱の周壁保持構造。
【請求項４】
　周壁（３ａ），（３ｂ），（４ａ），（４ｂ）の両端の連結片（７ａ），（７ｂ）のうち、いずれか一方の連結片（７ａ）にのみ可動ひだ（１１）を設けるとともに、他方の連結片（７ｂ）は山線の折目（６ｂ）の片側内面の略全面を接着固定する固定部（８ｂ）とした請求項１又は２又は３の折畳み式包装箱の周壁保持構造。
【考案の詳細な説明】
【技術分野】
【０００１】
　この考案はケーキ等の収容物を収容する折畳み式包装箱の周壁保持構造に関する。
【背景技術】
【０００２】
　従来、平板状に折畳まれた状態から容易に組立てることができる包装箱として実開昭５５−１６４１１６号公報等に記載の技術が公知であり、この包装箱は正方形又は長方形の底板２に対して、それぞれ前後側板３Ａ，３Ｂ及び左右側板７Ａ，７Ｂが折り曲げ可能に連設されるとともに、前後側板３Ａ，３Ｂの外縁側には補助板５が連設され、左右側壁７
Ａ，７Ｂの外縁側には押え片９が連設されている。
【０００３】
　前後側板３Ａ，３Ｂの両端と左右側壁７Ａ，７Ｂの両端とを連結する連結片１１が設けられており、連結片１１は折目１８を介して前後側板３Ａ，３Ｂ側に形成された可動連結片１１Ａと補助折目１７を介して左右側板７Ａ，７Ｂ側に形成された固定連結片１１Ｂと前記固定連結片１１Ｂから突出形成された帯状片１４とで構成されている。
【考案の開示】
【考案が解決しようとする課題】
【０００４】
　しかし、上記の包装箱には直線の補助折目１７を設けているので、左右側板７Ａ，７Ｂを引き起こす際に、両側壁にかかる力は、内側に戻る力よりもむしろ外側に広がる力が大きくなり、箱組みを煩雑にするとともに、押え片９の上下幅に対して起立状態において連結片１１の高さを押え片９内に収納挟持されるように設定していないので、連結片１１の折目１８の先端が箱内部に突出しており、ケーキ等の内容物を損傷するという問題があった。また押え片９と補助板５とを箱組み後に係止する係止手段を設けていないために、組立後の包装箱の成形保持が困難になるとともに、すべての連結片１１に補助折目１７を設けているので左右側板７Ａ，７Ｂをともに外側に開く作業を経なければならず、箱の組立作業が煩雑になるという欠点があった。
【０００５】
　この考案は、これらの課題を解決又は改善しようとするものである。
【課題を解決するための手段】
【０００６】
　上記課題を解決するための本考案の折畳み式包装箱の周壁保持構造は、第１に、正方形又は長方形の底板２又は天板を備え、前後左右の周壁３ａ，３ｂ，４ａ，４ｂが折り曲げ起伏可能に連設され、隣接する周壁３ａ，４ａ，３ｂ，４ｂ間に中間部に設けた山線の折目６ａ，６ｂを介して各隣接壁を連結するひだ状の連結片７ａ，７ｂを折り曲げ可能に連設し、上記連結片７ａ，７ｂを折目６ａ，６ｂの片側に隣接する周壁３ａ，３ｂ内面と接着固定する固定部８ａ，８ｂと、前記折目６ａ，６ｂを介して折曲げ回動可能な可動部９ａ，９ｂとで構成し、上記山線の折目６ａによって形成される連結片７ａの固定部８ａ側に、周壁４ａの周縁部に向かって広がる可動ひだ１１を形成する谷線の補助折目１２を設け、連結片７ａ，７ｂの固定部８ａ，８ｂ側の周壁３ａ，３ｂの上端に、連結片７ａ，７ｂの上端を折畳み起立状態で挟持する押え片１７を折返し形成した構造において、前記補助折目１２を前記折目６ａ側に山形に湾曲又は屈曲させて形成したことを特徴としている。
【０００７】
　第２に、連結片７ａ，７ｂの上端が折畳み起立して挟持された状態で、山線の折目６ａ，６ｂの上端が押え片１７の下端内に収納挟持されるように、連結片の高さと押え片１７の上下幅を設定したことを特徴としている。
【０００８】
　第３に、互に隣接する周壁３ａ，４ａ，３ｂ,４ｂの上端において、内側に折り曲げ形成される折返し片２２の端部と、上記押え片１７の両端部との間に、折返し片２２を内側に折返した状態で係止固定する係止部２１，２３を設けたことを特徴としている。
【０００９】
　第４に、周壁３ａ，３ｂ，４ａ，４ｂの両端の連結片７ａ，７ｂのうち、いずれか一方の連結片７ａにのみ可動ひだ１１を設けるとともに、他方の連結片７ｂは山線の折目６ｂの片側内面の略全面を接着固定する固定部８ｂとしたことを特徴としている。
【考案の効果】
【００１０】
　以上の如く構成される本考案の折畳み式包装箱の周壁保持構造によれば、以下に示すような効果を奏するものである。
（１）連結片の中間部に形成された山線の折目によって形成される連結片の固定部側に、周壁の周縁部側に向かって広がる可動ひだを形成する補助折目を設け、該補助折目を上記折目側に山形に湾曲又は屈曲させて形成したことで、箱組みの際に、起立方向に戻る弾力が働き、折畳み状態からの箱組みを容易かつ迅速に行うことができる。
【００１１】
（２）連結片の上端が折畳み起立して挟持された状態で、山線の折目の上端が押え片の下端内に収納挟持されるように、連結片の高さと押え片の上下幅を設定したので、突出した山線の折目の上端がケーキ等の内容物を損傷することがない。
【００１２】
（３）互に隣接する他の周壁の上端において、内側に折り曲げ形成される折り返し片の端部と、上記押え片の両端部との間に、折返し片を内側に折返した状態で係止固定する係止部を設けたので、音によりその固定状態が確認できるとともに、箱組み後の固定をより確実にすることができる。
【００１３】
（４）周壁の両端の連結片のうち、いずれか一方の連結片にのみ可動ひだを設けるとともに、他方の連結片は山線の折目の片側内面の略全面を接着固定する固定部としたことにより、他方の周壁を必要以上に外側に折り曲げることなく箱組みができる。
【考案を実施するための最良の形態】
【００１４】
　以下本考案の実施形態を図面に基づき説明する。図１は箱組み後の斜視図，図２は箱の組立途中を示す斜視図，図３は内面展開図を示している。
【００１５】
　包装箱１は、底板２に対して周壁としての前後壁３ａ，３ｂと左右側壁４ａ，４ｂが折曲げ起伏可能に連設されている。そして隣接する前記前後壁３ａ，３ｂと左右側壁４ａ，４ｂ間には、中間部の山線の折目６ａ，６ｂを備え、各隣接する前記前後壁３ａ，３ｂと左右側壁４ａ，４ｂ同士を連結する連結片７ａ，７ｂが折曲げ可能に連設されている。
【００１６】
　上記連結片７ａ，７ｂは山線の折目６ａ，６ｂを介して前後壁３ａ，３ｂの内面と予め接着固定される固定部８ａ，８ｂと、折目６ａ，６ｂを介して左右側壁４ａ，４ｂと折曲げ回動可能に連結する可動部９ａ，９ｂとで構成されている。左側壁４ａに連結する連結片７ａには、折目６ａを介して固定部８ａが前後壁３ａ，３ｂ側に形成され、該固定部８ａには左側壁４ａ方向に向かって広がる可動ひだ１１を介して補助折目１２が形成され、該補助折目１２は可動部９ａ側に向かって山型に湾曲形成されている。また可動ひだ１１の下方の底板２方向には鍵型の切込み１３が形成され、可動ひだ１１の上方の固定部８ａには図３の内面展開図上で外側方向に突出する帯部１４ａが形成されている。
【００１７】
　また右側壁４ｂに連結している連結片７ｂには、中間部の山線の折目６ｂを介して、予め前後壁３ａ，３ｂと接着固定される固定部８ｂと、右側壁４ｂと折曲げ回動可能に連結する可動部９ｂとで構成されている。そして前記固定部８ｂには、舌上に切残し形成された突起部１６が可動部９ｂ側に形成され、固定部８ｂの上方には図３の内面展開図上で外側方向に突出する帯部１４ｂが形成されている。
【００１８】
　さらに前後壁３ａ，３ｂの上端には連結片７ａ，７ｂの上端を折畳み起立状態で収納挟持する押え片１７が折り返し形成されており、該押え片１７は三角形状の固定部１８と、該固定部１８の上端に折曲げ可能に連設された左右可動部１９ａ，１９ｂとで構成されている。押え片１７の左右可動部１９ａ，１９ｂの左右側壁４ａ，４ｂ側端部には、後述する切欠部２３と係合する係止爪２１が突出形成されている。
【００１９】
　起立状態における左右側壁４ａ，４ｂの上端には折返し片２２が連設されており、該折返し片２２の前後端部には切欠部２３が形成されている。そして折返し片２２を内側に向かって折返し左右側壁４ａ，４ｂの内面と接着することにより、起立状態での左右側壁４ａ，４ｂと折畳まれた連結片７ａ，７ｂの可動部９ａ，９ｂとで係止用の孔が形成され、係止部を構成する前記係止爪２１と切欠部２３が係合し、押え片１７の左右可動部１９ａ，１９ｂが係止固定される。
【００２０】
　上記構成の本包装箱１の箱組みは、図４に示すように予め接着され平板状態で出荷される。上記連結片７ａ，７ｂの固定部８ａ，８ｂを前後壁３ａ，３ｂの内面に予め接着代２７ａに対して２７ｂを全面接着固定するとともに、接着固定された連結片７ａ，７ｂの上から押え片１７の固定部１８を内側に折返し、上記連結片７ａ，７ｂの固定部８ａ，８ｂ及び帯部１４ａ，１４ｂを押圧挟持し、接着代２８ａに対して２８ｂを接着固定する。また上記作業と同時に折返し片２２も内側に折り返し、接着代２９ａに対して左右側壁４ａ，４ｂの内面の接着代２９ｂとを接着固定する。
【００２１】
　そして店頭等の現場での本包装箱の組立作業は、図４の矢印に示すように左側壁４ａを左上方外側方向に引き上げると同時に、右側壁４ｂを右上方外側方向に起立回動させる。該左右側壁４ａ，４ｂには連結片７ａ，７ｂを介して前後壁３ａ，３ｂが連結されているので、左右側壁４ａ，４ｂの起立と同時に前後壁３ａ，３ｂも起立させることができる。
【００２２】
　左側壁４ａをさらに外側へ開くと同時に、押え片１７の左右可動部１９ａ，１９ｂを周縁側に起立状態で保ち、連結片７ａ，７ｂの可動部９ａ，９ｂを折畳み状態で前後壁３ａ，３ｂ側に重ね合わせ、押え片１７の左右可動部１９ａ，１９ｂを前後壁３ａ，３ｂ側の内面に回動させる。そして左右可動部１９ａ，１９ｂの接着代３１ａに対応した連結片７の可動部９ａ，９ｂの接着代３１ｂに接着固定するとともに、前述の係止爪２１と切欠部２３とで構成される係止部により係止固定し、連結片７ａ，７ｂを起立状態で折畳み収納挟持し、箱組みを完成させる。ただし接着代３１ａ，３１ｂの接着剤は箱組み後に接着固定する不乾糊等を使用するものとする。
【００２３】
　以上のように構成される本考案の折畳み式包装箱の周壁保持構造は、箱体としての説明をしたが、上記態様に限らず蓋体としても使用可能であり、また補助折目１２は可動部９ａ側に山型に湾曲形成したものであるが、多数の屈曲部を設けて円弧状に形成することもできる。また上記説明では、可動ひだ１１は連結片７ａにのみ形成されているが、連結片７ｂにも形成することもできる。
【図面の簡単な説明】
【００２４】
【図１】本包装箱の箱組み完成状態を示す斜視図である。
【図２】本包装箱の組立途中を示す斜視図である。
【図３】本包装箱の内面展開図である。
【図４】本包装箱の折畳み状態を示す平面図である。
【符号の説明】
【００２５】
　　１　　包装箱
　　２　　底板
　　３ａ　前壁（周壁）
　　３ｂ　後壁（周壁）
　　４ａ　左側壁（周壁）
　　４ｂ　右側壁（周壁）
　　６ａ，６ｂ　折目
　　７ａ，７ｂ　連結片
　　８ａ，８ｂ　固定部
　　９ａ，９ｂ　可動部
　　１１　可動ひだ
　　１２　補助折目
　　１７　押え片
　　２１　係止爪（係止部）
　　２２　折返し片
　　２３　切欠部（係止部）
【図１】
0003099820.tif 000003
【図２】
0003099820.tif 000004
【図３】
0003099820.tif 000005
【図４】
0003099820.tif 000006